(57)【特許請求の範囲】
【請求項１】
女性の局部にあてがうことができる大きさで吸水性のある上方シートと下方シートにより密閉した細袋空間を形成し、同上方シートに長手方向に沿った長い縦切れ目を設け、同縦切れ目の両端をＴ字状にするよう横切れ目を設け、縦切れ目周縁部分の両側に粘着面を設け、同粘着面上に剥離可能な剥離紙を取り付け、剥離紙を除去し前記縦切れ目部分を両側に開くように折り返して粘着面で固定し細袋空間に尿を収容して上方シートと下方シートで吸収するようにした女性用の尿パット。
【請求項２】
吸水性のある上方シートと下方シートで密閉した細袋空間を形成し、男性の陰部を同細袋空間内に挿入できるよう開口又は切れ目を前記上方シートに設けて男性用挿入部とし、細袋空間に尿を収容して上方シートと下方シートで吸収するようにし、上方シートの所定の位置となる二箇所に男性用挿入部を設け、二箇所の男性用挿入部をつなぐように開口用の切れ目を設け、同切れ目部分を両側に開くようにして細袋空間の一部を開口して女性用としても使用できるようにした尿パット。
【請求項３】
吸水性のある上方シートと下方シートで密閉した細袋空間を形成し、男性の陰部を同細袋空間内に挿入できるよう開口又は切れ目を前記上方シートに設けて男性用挿入部とし、細袋空間に尿を収容して上方シートと下方シートで吸収するようにし、下方シートに長手方向に沿った長い縦切れ目を設け、同縦切れ目の両端をＴ字状にするよう横切れ目を設け、縦切れ目周縁部分の両側に粘着面を設け、同粘着面上に剥離可能な剥離紙を取り付け、剥離紙を除去し前記縦切れ目部分を両側に開くように折り返して粘着面で固定して使用する女性用開口部を男性用挿入部と異なる面に設けて男女兼用にした尿パット。
【請求項４】
吸水性のある上方シートと下方シートで密閉した細袋空間を形成し、男性の陰部を同細袋空間内に挿入できるよう開口又は切れ目を前記上方シートに設けて男性用挿入部とし、細袋空間に尿を収容して上方シートと下方シートで吸収するようにし、切れ目の周縁部分に粘着面を設け、同粘着面上に剥離可能な剥離紙を取り付け、剥離紙を除去し切れ目部分を開くように折り返して粘着面で固定できるようにした尿パッド。
【請求項５】
切れ目の周縁部分に粘着面を設け、同粘着面上に剥離可能な剥離紙を取り付け、剥離紙を除去し切れ目部分を開くように折り返して粘着面で固定できるようにした請求項２，３いずれかに記載の尿パット。
【請求項６】
男性用挿入部が、Ｔ字状の切れ目である構造にした請求項２〜５いずれかに記載の尿パット。
【請求項７】
男性用挿入部が、円形状又は楕円形状の開口である構造にした請求項２〜５いずれかに記載の尿パット。
【請求項８】
上方シート及び下方シートの外周面を防水性にした請求項１〜７いずれかに記載の尿パット。
【請求項９】
上方シートと下方シートが、一枚物のシートを折り重ねて細袋空間を形成する構造にした請求項１〜８いずれかに記載の尿パット。
【発明の詳細な説明】
【０００１】
【発明の属する技術分野】
本発明は、便所に行って排尿を行うことが困難な場合や失禁用として身につけて尿を吸収するように使用する男性用、女性用又は男女兼用の尿パットに関する。
【０００２】
【従来の技術】
従来の尿パットにおいて女性用の場合には、尿パットを広げた状態で局部を中心にあてがって使用していた。また、男性用の場合には、尿パットを広げた状態で局部を中心にあてがって使用するか、尿パットの一辺を中心に三角錐を作り、局部（睾丸まで）を包み込むようにして使用していた。
しかし、このように局部にあてがうようにして使用する尿パットでは、尿が体と尿パットの間から外部に漏れてしまうことがあった。
また、排尿すると尿が皮膚に付着して不快に感じることが多く、また、皮膚が蒸れて炎症を起こしてしまうことがあった。
さらに、失禁者が尿パットを使用して失禁をしてしまった場合、男性の失禁者と女性の失禁者では、排尿の際の尿の流れは通常、男性の場合上へ向って流れ女性の場合には下へ向って流れる。このように男性と女性の場合、排尿の際の尿の流れが異なるため男女兼用で使用するとさらに漏れやすくなるため男女兼用化は難しかった。しかし、医療施設など男女がともに使用することが多い場合、男性用と女性用をそれぞれ用意・管理するのが大変であった。
【０００３】
【発明が解決しようとする課題】
本発明が解決しようとする課題は、従来のこれらの問題点を解消し、漏れにくく、快適に使用することができ、男女兼用として使用することができる尿パットを提供することができる。
【０００４】
【課題を解決するための手段】
かかる課題を解決した本発明の構成は、
１）  女性の局部にあてがうことができる大きさで吸水性のある上方シートと下方シートにより密閉した細袋空間を形成し、同上方シートに長手方向に沿った長い縦切れ目を設け、同縦切れ目の両端をＴ字状にするよう横切れ目を設け、縦切れ目周縁部分の両側に粘着面を設け、同粘着面上に剥離可能な剥離紙を取り付け、剥離紙を除去し前記縦切れ目部分を両側に開くように折り返して粘着面で固定し細袋空間に尿を収容して上方シートと下方シートで吸収するようにした女性用の尿パット
２）  吸水性のある上方シートと下方シートで密閉した細袋空間を形成し、男性の陰部を同細袋空間内に挿入できるよう開口又は切れ目を前記上方シートに設けて男性用挿入部とし、細袋空間に尿を収容して上方シートと下方シートで吸収するようにし、上方シートの所定の位置となる二箇所に男性用挿入部を設け、二箇所の男性用挿入部をつなぐように開口用の切れ目を設け、同切れ目部分を両側に開くようにして細袋空間の一部を開口して女性用としても使用できるようにした尿パット
３）  吸水性のある上方シートと下方シートで密閉した細袋空間を形成し、男性の陰部を同細袋空間内に挿入できるよう開口又は切れ目を前記上方シートに設けて男性用挿入部とし、細袋空間に尿を収容して上方シートと下方シートで吸収するようにし、下方シートに長手方向に沿った長い縦切れ目を設け、同縦切れ目の両端をＴ字状にするよう横切れ目を設け、縦切れ目周縁部分の両側に粘着面を設け、同粘着面上に剥離可能な剥離紙を取り付け、剥離紙を除去し前記縦切れ目部分を両側に開くように折り返して粘着面で固定して使用する女性用開口部を男性用挿入部と異なる面に設けて男女兼用にした尿パット
４）  吸水性のある上方シートと下方シートで密閉した細袋空間を形成し、男性の陰部を同細袋空間内に挿入できるよう開口又は切れ目を前記上方シートに設けて男性用挿入部とし、細袋空間に尿を収容して上方シートと下方シートで吸収するようにし、切れ目の周縁部分に粘着面を設け、同粘着面上に剥離可能な剥離紙を取り付け、剥離紙を除去し切れ目部分を開くように折り返して粘着面で固定できるようにした尿パッド
５）  切れ目の周縁部分に粘着面を設け、同粘着面上に剥離可能な剥離紙を取り付け、剥離紙を除去し切れ目部分を開くように折り返して粘着面で固定できるようにした前記２），３）いずれかに記載の尿パット
６）  男性用挿入部が、Ｔ字状の切れ目である構造にした前記２）〜５）いずれかに記載の尿パット
７）  男性用挿入部が、円形状又は楕円形状の開口である構造にした前記２）〜５）いずれかに記載の尿パット
８）  上方シート及び下方シートの外周面を防水性にした前記１）〜７）いずれかに記載の尿パット
９）  上方シートと下方シートが、一枚物のシートを折り重ねて細袋空間を形成する構造にした前記１）〜８）いずれかに記載の尿パット
にある。
【０００５】
【作用】
本発明では、上方シートに設けた男性挿入部の開口又は切れ目から男性の陰部を細袋空間内に挿入するようにし、他のカバーや下着等によってこの状態で保つようにする。この状態で排尿を行うと細袋空間内に尿が収容される。細袋空間は、開口又は切れ目以外の部分が密閉されるため外部に漏れにくい。細袋空間内に収容された尿は、吸水性のある上方シート又は下方シートによって吸収されて漏れない状態になる。
上方シートに縦切れ目と横切れ目を設け、縦切れ目の周縁部分に粘着面を設け、粘着面に剥離紙を取り付けたものは、剥離紙によって使用前に粘着面が他の物に粘着しないようにし、使用する際には、剥離紙を粘着面から除去し縦切れ目部分を両側に開くように折り返して細袋空間が上方で一部が開放されるようにする。折り返した部分は、粘着面で固定する。この開口部分を女性の局部にあてがうようにして他のカバーや下着等によってこの状態で保つようにして、尿を細袋空間内に漏れにくいように収容し吸水性のある上方シートと下方シートで吸収する。
上方シートの二箇所に男性用挿入部を設け、男性用挿入部をつなぐように切れ目を設けたものは、男性用として使用する場合には、二箇所の男性用挿入部のどちらかに男性の陰部を挿入して使用し、女性用として使用する場合には、男性用挿入部をつなぐように設けた切れ目部分を両側に開くようにして細袋空間の一部を開放し、この開口部分を女性の局部にあてがうようにして使用する。
下方シートに縦切れ目と横切れ目を設け、縦切れ目の周縁部分に粘着面を設け、粘着面に剥離紙を取り付けたものは、上方シート側を男性用として使用し、反対側の面となる下方シート側の面を女性用として使用する。
切れ目の周縁部分に粘着面を設け、粘着面に剥離紙を取り付けたものは、剥離紙によって粘着面が他の物に粘着しないようにし、使用する際には剥離紙を除去し、切れ目部分を開くように折り返して粘着面で固定し細袋空間の一部を開放した状態で固定できるようにする。
男性用挿入部がＴ字状の切れ目であるものは、切れ目部分から男性の陰部を挿入するようにして使用する。
男性用挿入部が円形状又は楕円形状の開口であるものは、開口から男性の陰部を挿入するようにして使用する。
上方シート及び下方シートの外周面を防水性にしたものは、上方シート及び下方シートで吸い取った尿が外部に染み出てしまうことがないよう防水性にした外周面で尿の外部への染み出しを止める。
上方シートと下方シートが一枚物のシートを折り重ねて形成するものは簡単な構成にできる。
【０００６】
【発明の実施の形態】
男性用挿入部に陰部を挿入する際には、睾丸まで挿入するようにして使用してもよい。
吸水性のある上方シート、下方シートには、高分子吸収体，脱脂綿，繊維やパルプを多層になるようにしたものなどがあり、吸水性の高いものが好ましい。
尿パットには、尿を吸収するために用いる紙おむつ、尿とり専用紙おむつと一般に呼ばれるものが含まれることとする。
本発明の尿パットは女性生理用具として使用してもよい。
粘着面には、粘着テープや粘着剤を塗布したものなどがあり、剥離紙がスムーズに剥離でき、折り返す部分がはずれないように十分な粘着力を有するものが好ましい。
上方シートと下方シートは、別体として接着等によって細袋空間を形成するものでも、一枚もののシートを折り返して上方シートと下方シートとし細袋空間を形成するものでもよい。
【０００７】
【実施例】
本発明の実施例について、図面を参照して具体的に説明する。
実施例１（図１〜図８参照）
図１〜８に示すのは、下方シートに縦切れ目と横切れ目を設け、縦切れ目の周縁部分に粘着面を設け、粘着面に剥離紙を取り付けた女性用開口部を設け、男性用挿入部の切れ目の周縁に粘着面を設け、男性用挿入部がＴ字状の切れ目であり、上方シート及び下方シートの外周面を防水性にした尿パットの例である。
図１は実施例１の尿パットの平面図である。図２は実施例１の尿パットの底面図である。図３は実施例１の尿パットの展開図である。図４は図１のＡ−Ａ断面図である。図５は実施例１の尿パットの説明図である。図６は実施例１の尿パットを使用している状態を示す説明図である。図７は実施例１の尿パットの説明図である。図８は図７のＢ−Ｂ断面図である。
図中、１は尿パット、２は上方シート、２ａは表面不識布、２ｂは吸収帯、２ｃは防水シート、３は男性用挿入部、３ａはＴ字状切れ目、４は下方シート、４ａは表面不識布、４ｂは吸収帯、４ｃは防水シート、５は女性用開口部、５ａは縦切れ目、５ｂは横切れ目、５ｃは接着部分、６は粘着テープ、７は剥離紙、８は細袋空間、３０は男性の陰部、３１はおむつカバーである。
【０００８】
本実施例１の尿パットは上方面を男性用とし、下方面を女性用とするようにし、一枚物を折るようにして内側に空間を形成するものである。
本実施例１の尿パット１は、まず図３に示すように一枚物の吸水性のあるシートを用意する。このシートは、水分を通さない防水シート２ｃと通水性がよく肌ざわりのよい表面不識布２ａの間に高い吸水性を有する吸収帯２ｂを挾むように設けたものである。
次にこの一枚物の吸水性のあるシートに図３において左右の中央で上方位置にＴ字状に貫通するＴ字状切れ目３ａを設ける。次に図３に示すようにシートの左右両端の上下４箇所に端から内側に所定の距離伸びる横切れ目５ｂを設ける。
次に図４に示すように横切れ目５ｂを設けた左右両端を折り返す。左右の横切れ目５ｂは同じ上下位置になるようにする。このように折り返したシートのＴ字状切れ目３ａを設けた面を上方シート２、横切れ目５ｂを設けた面を下方シート４とする。次に、図２，４に示すように横切れ目５ｂを設けた下方シート４の上側の横切れ目５ｂから上端まで及び下側の横切れ目５ｂから下端までの折り返したシートの左右両端を接着部分５ｃとして接合する。これによって上方シート２と下方シート４の間に切れ目を除いて密閉した細袋空間８を設ける。よって、図４に示すように上方シート２の上面には防水シート２ｃが位置し、細袋空間８側に表面不識布２ａが位置し、防水シート２ｃと表面不識布２ａに挟まれるように吸収帯２ｂが位置することになる。また、図４に示すように下方シートの下面には防水シート４ｃが位置し、細袋空間８側に表面不識布４ａが位置し、防水シート４ｃで表面不識布４ａに挟まれるように吸収帯４ｂが位置することになる。また、折り返したシートの左右両端を合わせた部分において接着部分５ｃ以外の上下の横切り目５ｂの間を縦切れ目５ａとする。
【０００９】
次に図１，４に示すように上方シート２のＴ字状切れ目３ａによって角部分が形成され２箇所部分の上面に粘着テープ６を粘着する。このＴ字状切れ目３ａに設けた粘着テープ６には、粘着テープ６に対して剥離自在な剥離紙７を取り付けておく。
次に図２，４に示すように下方シート４の縦切れ目５ａの両側に粘着テープ６を粘着する。この粘着テープ６にも粘着テープに対して剥離自在な剥離紙７を取り付けておく。
【００１０】
本実施例１の尿パット１を男性が使用するには、まず、上方シート２のＴ字状切れ目３ａの部分に貼着した剥離紙７を剥離して除去し、次にＴ字状切れ目３ａの切れ目が交わって角となっている部分を開くように外側に折り返す。折り返した部分は、折り返した状態で粘着テープ６で粘着させる。このようにして、Ｔ字状切れ目３ａ部分に三角形の開口部分を設け男性用挿入部３を形成する。
次に図５に示すように適度な上下位置で尿パット１を折り返し、下方シート４が折り返した内側になるようにする。
この尿パット１を図６に示すように使用する男性の陰部３０を尿パット１の男性用挿入部３から細袋空間８内に挿入し、この状態でおむつカバー３１で体に固定するようにする。細袋空間８を形成することにより挿した際に陰部３０が圧迫されるようなことがなく快適に使用できる。
この状態で排尿又は失禁がされると、尿を確実に男性の尿の流れに対応した細袋空間８で収容でき、収容した尿は袋状の空間内に位置するため、尿パット１の外部に漏れ出てしまうようなことが非常に生じにくい。細袋空間に収容された尿は、表面不識布２ａ，４ａを通過して吸収帯２ｂ，４ｂで吸収される。また、このようにＴ字状切れ目３ａによって三角形の男性用挿入部３を形成することで陰部と睾丸の根本まで挿入することが可能となり、装置時にズレが生じにくくでき安定した状態で使用できさらに漏れにくくなり、睾丸を尿で汚染することなく使用でき、睾丸の被れ等がなく快適に使用できる。
また、男性用挿入部を形成するために折り返した部分の体に当たる部分は、肌ざわりがよく、尿を通過させて吸収帯２ｂで吸収する表面不識布２ａになるので、さらに漏れにくく快適に使用できる。
尿収容後には、尿パットを体から取りはずして廃棄する。
【００１１】
本実施例１の尿パット１を女性が使用するには、図７，８に示すように下方シート４の下面が上面になるようにし、粘着テープ６に粘着させていた剥離紙７を剥離して除去し、縦切れ目５ａ部分を左右に開くようにして外側に折り返す。折り返した部分は粘着テープ６で粘着させる。このようにして長方形の開口部を設けて女性用開口部５を形成する。
次にこの女性用開口部を女性の局部にあてがうようにし、おむつカバーや下着で体に取りつけるようにして用いる。この際には、男性用挿入部３の剥離紙７を剥離して粘着テープ６がおむつカバーや下着に粘着するようにしてもよい。このようにすれば尿パット１がズレることなく安定し、確実に尿を収容できる。
男性用挿入部を切り目で形成することによって、女性用として使用する際に下面側に男性用挿入部が位置する場合でも切り目部分は尿が濡れるような大きな隙間にならない。
この状態で排尿・失禁がされると、尿は細袋空間８に収容される。尿は袋状の空間内に収容することにより非常に尿パット１の外部に漏れ出てしまうようなことが生じにくくなる。
また、折り返して女性用開口部５を形成することによって、下方シート４の表面より高く重なるように折り返し部分が位置するため、局部との空間が形成されて尿が局部に再付着しにくくなり、また、局部が蒸れなくなり、より快適に使用でき、かつ折り返し部分により尿の横漏れを防止できる。
このように本実施例１の尿パットは男性用としても女性用としても確実に尿を吸収できる尿パットとして使用できる。
【００１２】
実施例２（図９参照）
図９に示す実施例２は、上方シートの二箇所に男性用挿入部を設け、男性用挿入部をつなぐように開口用切れ目を設けて男女兼用にした尿パットの例である。
図９は実施例２の尿パットの平面図である。
図中、１０は尿パット、１１は上方シート、１２は男性用挿入部、１３は女性用開口部の縦切れ目である。
実施例２の尿パットは上方シート１１に男性用挿入部と女性用開口部を設けるようにしたものである。上方シート１１の上下にＴ字状の切れ目を設けて男性用挿入部１２を形成し、Ｔ字状切れ目の横長の切れ目部分が女性用開口部の横切れ目を兼用するようにし、上下の男性用挿入部１２をつなぐように縦切れ目１３を設ける。
このように上方シートに男性用挿入部と女性用開口部を設けるようにしてもよい。
その他符号、構成、作用、使い方は実施例１と同じである。
【００１３】
実施例３（図１０〜１２参照）
図１０〜１２に示すのは、男性用挿入部が楕円形状である尿パットの例である。
図１０は実施例３の尿パットの平面図である。図１１は実施例３の尿パットの説明図である。図１２は実施例３の尿パットの説明図である。
図中、１５は尿パット、１６は上方シート、１７は男性用挿入部、１７ａは楕円状開口部、１８は女性用開口部、１８ａは女性用開口部の縦切れ目である。
実施例３では、図１０〜１２に示すように上方シート１６の２箇所に男性用挿入部１７として楕円状開口部１７ａを設け、楕円状開口部１７ａをつなぐようにして縦切れ目１８ａを設ける。男性用として使用する際には、図１１に示すように折り曲げて使用する。男性の陰部だけでなく睾丸も男性用挿入部１７内に挿入して用いたい場合に便利である。また、女性用として使用する際には、図１２に示すように剥離紙を除去して縦切れ目１８ａから左右に開くようにして女性用開口部１８を形成する。
このように男性用挿入部の形状はその使用に応じた形であればよい。
その他符号、構成、作用、使い方は実施例１と同じである。
【００１６】
【発明の効果】
本発明によれば、漏れにくく、快適に使用することができ、男女兼用として使用することができる尿パットにできる。
上方シートに縦切れ目と横切れ目を設け、縦切れ目の周縁部分に粘着面を設け、粘着面に剥離紙を取り付けたものは、下方側を切れ目がない防水面にしてさらに漏れにくい尿パットにできる。
下方シートに縦切れ目と横切れ目を設け、縦切れ目の周縁部分に粘着面を設け、粘着面に剥離紙を取付けたものは、上方シート側を男性用にして下方シート側を女性用にしてより使いやすくした尿パットにできる。
切れ目の周縁部分に粘着面を設けたものは、使用しやすい男性用挿入部又は女性開口部を容易に形成できるようにし、粘着面でおむつカバーや下着に固定して安定させてさらに確実に漏れないようにでき、また、使用しない面として下面側に位置するような場合でも切れ目部分がズレて開口しないようにして切れ目部分からの漏れを防止する。
男性用挿入部がＴ字状であるものは、男性の睾丸の根元まで確実に挿入でき容易に男性用挿入部を形成でき、使用しない面として下面側に位置する場合でも漏れを防止しやすい面として使用できる。
男性用挿入部が円形状又は楕円形状であるものは、容易に男性用挿入部を形成でき、必要に応じて男性の睾丸まで挿入できる。
上方シート及び下方シートの外周面を防水性にしたものは、外部への尿のしみ出しを防止してさらに確実に尿の漏れを防ぐ尿パットにできる。
上方シートと下方シートが一枚物のシートを折り重ねて形成するものは、コストを抑制した尿パットにできる。
【図面の簡単な説明】
【図１】  実施例１の尿パットの平面図である。
【図２】  実施例１の尿パットの底面図である。
【図３】  実施例１の尿パットの展開図である。
【図４】  図１のＡ−Ａ断面図である。
【図５】  実施例１の尿パットの説明図である。
【図６】  実施例１の尿パットを使用している状態を示す説明図である。
【図７】  実施例１の尿パットの説明図である。
【図８】  図７のＢ−Ｂ断面図である。
【図９】  実施例２の尿パットの平面図である。
【図１０】  図１０は実施例３の尿パットの平面図である。
【図１１】  図１１は実施例３の尿パットの説明図である。
【図１２】  図１２は実施例３の尿パットの説明図である。
【符号の説明】
１  尿パット
２  上方シート
２ａ  表面不織布
２ｂ  吸収帯
２ｃ  防水シート
３  男性用挿入部
３ａ  Ｔ字状切れ目
４  下方シート
４ａ  表面不織布
４ｂ  吸収帯
４ｃ  防水シート
５  女性用開口部
５ａ  縦切れ目
５ｂ  横切れ目
５ｃ  接着部分
６  粘着テープ
７  剥離紙
８  細袋空間
１０  尿パット
１１  上方シート
１２  男性用挿入部
１３  （女性用開口部の）縦切れ目
１５  尿パット
１６  上方シート
１７  男性用挿入部
１７ａ  楕円状開口部
１８  女性用開口部
１８ａ  （女性用開口部の）縦切れ目
３０  （男性の）陰部
３１  おむつカバー
【図１】
0003694647.tif 000002
【図２】
0003694647.tif 000003
【図３】
0003694647.tif 000004
【図４】
0003694647.tif 000005
【図５】
0003694647.tif 000006
【図６】
0003694647.tif 000007
【図７】
0003694647.tif 000008
【図８】
0003694647.tif 000009
【図９】
0003694647.tif 000010
【図１０】
0003694647.tif 000011
【図１１】
0003694647.tif 000012
【図１２】
0003694647.tif 000013